(57)【特許請求の範囲】
【請求項１】
濾過箱とポンプと空気室とを備えた養殖池の空気注入及び濾過装置であって、
前記濾過箱は、内部に網バスケットを収納する収納空間を有し、第１のパイプによって濾過すべき液体が導入され、濾過後の液体を第２のパイプ及び第３のパイプから送り出し、
前記ポンプは、モータでブレードを駆動することによって、前記第２のパイプにおける液体が導入され、導入された液体を第４のパイプからノズルによって噴出し、
前記空気室は、その注入口が前記ノズルの噴出口の近くに位置し、前記ノズルから噴出した流速が速い液体によって、前記第３のパイプからの液体と前記空気室から注入した空気とを混合してから、第５のパイプから送り出す、ことを特徴とする、養殖池の空気注入及び濾過装置。
【請求項２】
前記濾過箱はカバーを有し、前記カバーが係止具によって前記濾過箱の上に固設されることを特徴する、請求項１に記載の養殖池の空気注入及び濾過装置。
【請求項３】
前記網バスケットは網目を有する鉄網からなることを特徴する、請求項１又は２に記載の養殖池の空気注入及び濾過装置。
【請求項４】
前記網バスケットの内側には、濾過材が配置されることを特徴する、請求項１〜３のいずれか一項に記載の養殖池の空気注入及び濾過装置。
【請求項５】
前記濾過材は不織布、濾布及び濾過用網から選ばれることを特徴する、請求項４に記載の養殖池の空気注入及び濾過装置。
【請求項６】
前記空気室における空気と接触する部分には、空気中の塵埃の落下による詰まりを防止するための網が設けられることを特徴する、請求項１〜５のいずれか一項に記載の養殖池の空気注入及び濾過装置。
【請求項７】
前記第１、第２、第３、第４又は第５のパイプと、前記濾過箱、前記ポンプ又は前記空気室との接続する箇所には、接続及び分離可能な継手を設けることを特徴する、請求項１〜６のいずれか一項に記載の養殖池の空気注入及び濾過装置。
【請求項８】
前記濾過すべき液体は汚水、富栄養化の池水であることを特徴する、請求項１〜７のいずれか一項に記載の養殖池の空気注入及び濾過装置。
【発明の詳細な説明】
【技術分野】
【０００１】
本発明は、養殖池の空気注入及び濾過装置に関し、特に養殖池水を濾過し且つ清潔にする便利な濾過箱を有すると共に、養殖池へ空気を注入することができる養殖池の空気注入及び濾過装置に関するものである。
【背景技術】
【０００２】
従来、養殖池に用いる空気注入装置と濾過装置は別々に設けられることが殆どであり、その内、空気注入装置は通常、水車で空気を水中に注入するものであり、濾過装置は、水中の混じり物を濾過して除去するものである。
【０００３】
しかしながら、別々に設けられた二つの装置では、過大な体積を占めることになる。さらに、従来の濾過装置は水面上に固設されるので、濾過用網の交換が非常に不便である。この濾過用網が長期に亘って交換されないと、水中の藻類が増加してしまう。すると、この増加した水中の藻類が富栄養化になって、養殖水産物の成長が阻害されてしまう。
【発明の概要】
【発明が解決しようとする課題】
【０００４】
本発明の課題は、養殖池水を濾過する濾過箱の清掃が便利となり、養殖池へ空気を注入することによって養殖池水の富栄養化や酸素欠乏による養殖水産物の死亡を防止し得る、養殖池の空気注入及び濾過装置を提供することにある。
【課題を解決するための手段】
【０００５】
上記の課題を解決するために、本発明の養殖池の空気注入及び濾過装置は、濾過箱とポンプと空気室とを備え、該濾過箱は、内部に網バスケットを収納する収納空間を有し、第１のパイプによって濾過すべき液体が導入され、濾過後の液体を第２のパイプ及び第３のパイプから送り出し、該ポンプは、モータでブレードを駆動することによって、前記第２のパイプにおける液体が導入され、導入された液体を第４のパイプからノズルによって噴出し、該空気室は、その注入口が前記ノズルの噴出口の近くに位置し、該ノズルから噴出した流速の速い液体によって、前記第３のパイプからの液体と該空気室から注入した空気とを混合してから、第５のパイプから送り出す、ことを特徴とするものである。
【０００６】
本発明の養殖池の空気注入及び濾過装置において、濾過箱はカバーを有し、該カバーが係止具によって該濾過箱の上に固設されることが好ましい。
【０００７】
本発明の養殖池の空気注入及び濾過装置において、網バスケットは網目を有する鉄網からなることが好ましい。
【０００８】
本発明の養殖池の空気注入及び濾過装置において、網バスケットの内側には、濾過材が配置されることが好ましい。
【０００９】
本発明の養殖池の空気注入及び濾過装置において、濾過材は不織布、濾布及び濾過用網から選ばれることが好ましい。
【００１０】
本発明の養殖池の空気注入及び濾過装置において、空気室における空気と接触する部分には、空気中の塵埃の落下による詰まりを防止するための網が設けられることが好ましい。
【００１１】
本発明の養殖池の空気注入及び濾過装置において、第１のパイプ、第２のパイプ、第３のパイプ、第４のパイプ及び第５のパイプと、濾過箱、ポンプ及び空気室との接続する箇所には、接続及び分離可能な継手を設けることが好ましい。
【００１２】
本発明の養殖池の空気注入及び濾過装置において、濾過すべき液体は汚水、富栄養化の池水であることが好ましい。
【発明の効果】
【００１３】
上記説明した本発明の養殖池の空気注入及び濾過装置によれば、以下の効果を図ることが可能になる。すなわち、濾過箱を便利且つ迅速に清潔に清掃することができるので、養殖池水の過度の富栄養化が抑制される。養殖池水の濾過と同時に空気を注入することによって、養殖池水の酸素濃度を一定に維持し、水産物の養殖に供することができる。
【図面の簡単な説明】
【００１４】
【図１】本発明の養殖池の空気注入及び濾過装置を示す模式図である。
【発明を実施するための形態】
【００１５】
図１は本発明の養殖池の空気注入及び濾過装置を示す模式図である。図１に示すように、養殖池の空気注入及び濾過装置１はＰＶＣフロート（図示せず）を介して水面６０に浮上され、適切な道具、例えばロープに接続されており、このロープを引張ることによって、水面６０上を移動し、適当な水面６０の位置に置かれる。
【００１６】
養殖池の空気注入及び濾過装置１は、濾過箱１０とポンプ２０と空気室３０とを備える。
【００１７】
濾過箱１０は、網バスケット１０２を収納する収納空間を有し、第１のパイプ４０２によって濾過すべき液体が導入され、濾過後の液体を第２のパイプ４０４及び第３のパイプ４０６から送り出す。濾過箱１０の上には、係止具１０８によってカバー１０６が固設される。網バスケット１０２は網目を有する鉄網からなり、その内側には、不織布や、濾布や、濾過用網等の濾過材１０４が配置される。又、その濾過すべき液体としては、魚の糞や、浮遊物質や、藻類などを含む養殖池の汚水や、富栄養化の池水である。
【００１８】
ポンプ２０は、モータ２０２でブレード２０４を駆動することによって、第２のパイプ４０４における液体が導入され、導入された液体を第４のパイプ４０８からノズル２０６によって噴出する。
【００１９】
空気室３０の注入口３０２はノズル２０６の噴出口の近くに位置している。ベルヌーイの法則によれば、流速が速い液体又は気体の圧力が小さいと、ポンプ２０を通過した液体の流速が速いため、ノズル２０６の噴出口にある液体の圧力が小さくなり、このノズル２０６から噴出した流速の速い液体によって、第３のパイプ４０６からの液体と空気室３０から注入された空気とを混合させた後、第５のパイプ４１０より濾過後の酸素濃度が高い液体を送り出す。
【００２０】
又、空気室３０における空気と接触する部分には、網３０４を設けることができる。この構成によれば、空気中の塵埃が空気室３０内に落下し注入口３０２が詰まることを防止することができる。
【００２１】
又、図１において、第１のパイプ４０２、第２のパイプ４０４、第３のパイプ４０６、第４のパイプ４０８又は第５のパイプ４１０と、濾過箱１０、ポンプ２０又は空気室３０との接続する箇所には、接続及び分離可能な継手を設けることができる。例えば、濾過箱１０は、継手５０２,５０４,５０６夫々を介して、第１のパイプ４０２、第２のパイプ４０４、第３のパイプ４０６と接続され、ポンプ２０は継手５０８を介して第４のパイプ４０８と接続され、ノズル２０６が継手５０８に配置される。又、第３のパイプ４０６は、継手５１０を介して空気室３０の注入口３０２及びノズル２０６の噴出口の近くに接続される。
【００２２】
そして、一定以上の使用時間が経ち、濾過箱１０の濾過材１０４上に濾過した混じり物が多く残されると、養殖業者は、濾過箱１０のカバー１０６を開けて、網バスケット１０２全体を取り出して濾過材１０４を交換することができ、その濾過した混じり物を肥料として用いることもできる。
【符号の説明】
【００２３】
１：養殖池の空気注入及び濾過装置
１０：濾過箱
１０２：網バスケット
１０４：濾過材
１０６：カバー
１０８：係止具
２０：ポンプ
２０２：モータ
２０４：ブレード
２０６：ノズル
３０：空気室
３０２：注入口
３０４：濾過用網
４０２：第１のパイプ
４０４：第２のパイプ
４０６：第３のパイプ
４０８：第４のパイプ
４１０：第５のパイプ
５０２,５０４, ５０６,５０８, ５１０：継手
６０：水面
【要約】      （修正有）【課題】養殖池へ空気を注入することによって養殖池水の富栄養化や酸素欠乏による養殖水産物の死亡を防止し得る養殖池の空気注入及び濾過装置を提供する。【解決手段】空気注入及び濾過装置１は濾過箱１０とポンプ２０と空気室３０とを備え、濾過箱１０は内部に網バスケット１０２を収納する収納空間を有し、第１のパイプ４０２によって濾過すべき液体が導入され、濾過後の液体を第２のパイプ４０４及び第３のパイプ４０６から送り出し、ポンプ２０はモータ２０２でブレード２０４を駆動することによって、第２のパイプ４０４における液体が導入され、導入された液体を第４のパイプ４０８からノズル２０６によって噴出し、空気室３０は、その注入口３０２がノズル２０６の噴出口の近くに位置し、ノズル２０６から噴出した流速が速い液体によって、第３のパイプ４０６からの液体と空気室３０から注入した空気とを混合してから、第５のパイプ４１０から送り出す。【選択図】図１【図１】
0005514891.tif 000002